(57)【要約】【課題】観察者が画像を見る位置が上下に移動しても、明るい画像が得られる画像表示装置を提供する。【解決手段】後方から照射された光を透過可能な液晶表示パネル８０４と、特定の偏光である第１の光と、前記第１の光と偏光軸が直交する第２の光とを、液晶表示パネル８０４に照射する光源８０１と、液晶表示パネル８０４と光源８０１との間に配置され、前記第１の光を透過する第１領域と、前記第２の光を透過する第２領域とが、一定方向に繰り返して設けられた縞状フィルタ８０２と、を備え、光源８０１は、赤色、緑色及び青色の光を放射する発光部８１０を含んで構成し、発光部８１０から赤色、緑色及び青色の光が順次放射されるようにし、発光部８１０による各色の光の放射タイミングに対応して、液晶表示パネルに８０４は各色に対応する画像を順次表示する。【選択図】  図３
2004272166.tif 000002
【特許請求の範囲】
【請求項１】
後方から照射された光を透過可能な液晶表示パネルと、
特定の偏光である第１の光と、前記第１の光と偏光軸が直交する第２の光とを、前記液晶表示パネルに照射する光源と、
前記光源から放射された光を左右各々の目に到達する方向に屈折させる光学手段と、
前記液晶表示パネルと前記光源との間に配置され、前記第１の光を透過する第１領域と、前記第２の光を透過する第２領域とが、一定方向に繰り返して設けられた縞状フィルタと、
前記液晶表示パネルの通電時又は非通電時のいずれかにおいて、前記液晶表示パネルを透過する光を遮断する偏光特性を有する偏光板と、を備える画像表示装置であって、
前記光源は、赤色、緑色及び青色の光を放射する発光部を含んで構成し、
前記発光部から赤色、緑色及び青色の光が順次放射されるようにし、
前記発光部による各色の光の放射タイミングに対応して、前記液晶表示パネルには各色に対応する画像を順次表示することを特徴とする画像表示装置。
【請求項２】
前記発光部は前記各色毎に発光素子を個別に配置していることを特徴とする請求項１に記載の画像表示装置。
【請求項３】
前記発光素子は、前記光学手段により互いに異なる角度で屈折される光を照射すると共に、この角度の小さいものから順に、画像表示装置の中心線に近い方から並んで配置されることを特徴とする請求項２に記載の画像表示装置。
【請求項４】
前記縞状フィルタは、前記第１領域と前記第２領域とが横方向に繰り返して設けられていることを特徴とする請求項１から３のいずれか一つに記載の画像表示装置。
【請求項５】
前記光源による各色の光の放射時間を、各色の輝度に対応して異ならせたことを特徴とする請求項１から４のいずれか一つに記載の画像表示装置。
【請求項６】
複数の識別情報が変動表示する表示領域を設けた画像表示装置と、前記識別情報の変動表示を制御する変動表示制御手段とを備え、前記画像表示装置に表示された識別情報を変動表示させる変動表示ゲームを行い、前記変動表示ゲームの結果態様に関連して特定の遊技価値を付与する特別遊技状態を生起可能な遊技機において、
前記画像表示装置に、請求項１から５のいずれか一つに記載の画像表示装置を用いたことを特徴とする遊技機。
【発明の詳細な説明】
【０００１】
【発明が属する技術分野】
本発明は画像表示装置に関し、特に、観察者が特別なメガネをかけることなく立体視することができる三次元画像表示装置に関する。
【０００２】
【従来の技術】
従来三次元画像表示装置は、光源の前面左右に偏光方向が直交する右眼用偏光フィルタ部と左眼用偏光フィルタ部とを配置し、この各フィルタ部を通過した各光をフレネルレンズで平行光として液晶表示素子に照射し、この液晶表示素子の両面の偏光フィルタのそれぞれを、１水平ライン毎に互いに直交する直線偏光フィルタライン部を交互に配置し、且つ、光源側と観察側の対向する直線偏光フィルタライン部を直交する偏光方向とし、液晶表示素子の液晶パネルには２枚の偏光フィルタの透光ラインに合わせて１水平ライン毎に右眼用と左眼用の映像情報を交互に表示する構成であった。また、光源側の偏光フィルタを１水平ライン毎に互いに直交する直線偏光フィルタライン部を交互に配置し、観察側の偏光フィルタを光源側の偏光フィルタの一方の直線偏光フィルタライン部を有する直線偏光フィルタとし、液晶表示素子の液晶パネルには光源側の偏光フィルタの透光ラインに合わせて１水平ライン毎に右眼用と左眼用の映像情報を交互に表示する構成であった（例えば、特許文献１参照。）。
【０００３】
また、所定の入賞口に遊技球が入賞した場合に、パチンコ遊技盤のほぼ中央部に配されたドラムやディスプレイ上に数字や記号あるいは絵柄等を変動表示させ、同じ数字等が揃って停止した場合を大当たりとして、所定数の賞球を行うものがある。この変動表示等を行うディスプレイに表示される画像は、平面的な２次元画像であるが、さらに表示効果を高めるために、鋭い指向性を持つレンティキュラレンズを使って左右の眼に対応する画像情報を提供して、平面画像を立体画像として表示する遊技機が提案されている（例えば、特許文献２参照。）。
【０００４】
【特許文献１】
特開平１０−６３１９９号公報
【特許文献２】
特開平７−３１７２９号公報
【０００５】
【発明が解決しようとする課題】
しかし、前述した従来の画像表示装置では、液晶表示パネルの１水平ライン毎に左眼用画像と右眼用画像とを別々に設定しているので、１水平ラインおきに、観察者の片目に届かない画素領域が存在することになり、その結果、画像表示装置全体の画素が粗くなって、観察者が画像を鮮明に見ることができないという問題があった。
【０００６】
本発明は、観察者が特別なメガネをかけることなく立体視することができる三次元画像表示装置において、観察者に対して、画素数の細かい、明るい鮮明な画像が得られる画像表示装置を提供することを目的とする。
【０００７】
【課題を解決するための手段】
第１の発明は、後方から照射された光を透過可能な液晶表示パネルと、特定の偏光である第１の光と、前記第１の光と偏光軸が直交する第２の光とを、前記液晶表示パネルに照射する光源と、前記光源から放射された光を左右各々の目に到達する方向に屈折させる光学手段と、前記液晶表示パネルと前記光源との間に配置され、前記第１の光を透過する第１領域と、前記第２の光を透過する第２領域とが、一定方向に繰り返して設けられた縞状フィルタと、前記液晶表示パネルの通電時又は非通電時のいずれかにおいて、前記液晶表示パネルを透過する光を遮断する偏光特性を有する偏光板と、を備える画像表示装置であって、前記光源は、赤色、緑色及び青色の光を放射する発光部を含んで構成し、前記発光部から赤色、緑色及び青色の光が順次放射されるようにし、前記発光部による各色の光の放射タイミングに対応して、前記液晶表示パネルには各色に対応する画像を順次表示する。
【０００８】
第２の発明は、第１の発明において、前記発光部は前記各色毎に発光素子を個別に配置していることを特徴とする。
【０００９】
第３の発明は、第２の発明において、前記発光素子は、前記光学手段により互いに異なる角度で屈折される光を照射すると共に、この角度の小さいものから順に、画像表示装置の中心線に近い方から並んで配置されることを特徴とする。
【００１０】
第４の発明は、第１から第３の発明において、前記縞状フィルタは、前記第１領域と前記第２領域とが横方向に繰り返して設けられていることを特徴とする。
【００１１】
第５の発明は、第１から第４の発明において、前記光源による各色の光の放射時間を、各色の輝度に対応して異ならせたことを特徴とする。
【００１２】
第６の発明は、複数の識別情報が変動表示する表示領域を設けた画像表示装置と、前記識別情報の変動表示を制御する変動表示制御手段とを備え、前記画像表示装置に表示された識別情報を変動表示させる変動表示ゲームを行い、前記変動表示ゲームの結果態様に関連して特定の遊技価値を付与する特別遊技状態を生起可能な遊技機において、前記画像表示装置に、前記第１から第５の発明に係る画像表示装置を用いたことを特徴とする。
【００１３】
【発明の作用および効果】
第１の発明では、後方から照射された光を透過可能な液晶表示パネルと、特定の偏光である第１の光と、前記第１の光と偏光軸が直交する第２の光とを、前記液晶表示パネルに照射する光源と、前記光源から放射された光を左右各々の目に到達する方向に屈折させる光学手段と、前記液晶表示パネルと前記光源との間に配置され、前記第１の光を透過する第１領域と、前記第２の光を透過する第２領域とが、一定方向に繰り返して設けられた縞状フィルタと、前記液晶表示パネルの通電時又は非通電時のいずれかにおいて、前記液晶表示パネルを透過する光を遮断する偏光特性を有する偏光板と、を備える画像表示装置であって、前記光源は、赤色、緑色及び青色の光を放射する発光部を含んで構成し、前記発光部から赤色、緑色及び青色の光が順次放射されるようにし、前記発光部による各色の光の放射タイミングに対応して、前記液晶表示パネルには各色に対応する画像を順次表示するので、各発光部が異なるタイミングで発光し、同時に発光することがないので、一時期に発生する熱を抑制することができる。また、第１光源及び第２光源において発光色を異ならせるので、液晶表示パネルにはカラーフィルタを設ける必要がなく画素ピッチを微細化することができる。そして、画素が小さくなることで、立体画像の縞の発生を抑制することができる。
【００１４】
第２の発明では、前記発光部は前記各色毎に発光素子を個別に配置しているので、表示画像の色分解、色合成を容易にすることができる。
【００１５】
第３の発明では、前記発光素子は、前記光学手段により互いに異なる角度で屈折される光を照射すると共に、この角度の小さいものから順に、画像表示装置の中心線に近い方から並んで配置されるので、光源から放射される光の波長を考慮して各色の発光部を配置したので、共通のフレネルレンズを用いて各色の発光部からの光が左右眼に届くようにすることができる。
【００１６】
第４の発明では、前記縞状フィルタは、前記第１領域と前記第２領域とが横方向に繰り返して設けられているので、光を縦方向に拡散することが可能となり、その結果、観察者が画像を見る位置が上下に移動しても、画像を鮮明に見ることができる。
【００１７】
第５の発明では、前記光源による各色の光の放射時間を、各色の輝度に対応して異ならせたので、発光部の各色の輝度が異なる場合でも、各色の光度の時間平均を等しくすることができ、効率的に表示制御をすることができる。
【００１８】
第６の発明では、複数の識別情報が変動表示する表示領域を設けた画像表示装置と、前記識別情報の変動表示を制御する変動表示制御手段とを備え、前記画像表示装置に表示された識別情報を変動表示させる変動表示ゲームを行い、前記変動表示ゲームの結果態様に関連して特定の遊技価値を付与する特別遊技状態を生起可能な遊技機において、前記画像表示装置に、前記第１から第５の発明に係る画像表示装置を用いるので、画素の細かい鮮明な立体画像を用いた変動表示ゲームを行うことができる。
【００１９】
【発明の実施の形態】
以下、本発明の実施の形態について、図面に基づいて説明する。
【００２０】
図１は、本発明の実施の形態の遊技機（カード球貸ユニットを併設したＣＲ機）全体の構成を示す正面図である。
【００２１】
遊技機（パチンコ遊技機）１の前面枠３は本体枠（外枠）４にヒンジ５を介して開閉回動可能に組み付けられ、遊技盤６は前面枠３の裏面に取り付けられた収納フレームに収納される。
【００２２】
遊技盤６の表面には、ガイドレールで囲われた遊技領域が形成され、遊技領域のほぼ中央には画像表示装置（特別図柄表示装置）８が設けられるセンターケース１１が配置され、遊技領域の下方には大入賞口を備えた変動入賞装置１０が配置される他、遊技領域には各入賞口１２〜１５、始動口１６、普通図柄表示器７、普通変動入賞装置９等が配置されている。前面枠３には、遊技盤６の前面を覆う前面構成部材としてのカバーガラス１８が取り付けられている。
【００２３】
画像表示装置８は、ＬＣＤ（液晶表示器）で表示画面が構成されている。表示画面の画像を表示可能な領域（表示領域）には、複数の変動表示領域が設けられており、各変動表示領域に識別情報（特別図柄、普通図柄）や変動表示ゲームを演出するキャラクタが表示される。すなわち、表示画面の左、中、右に設けられた変動表示領域には、識別情報として割り当てられた図柄（例えば、「０」〜「９」までの数字及び「Ａ」、「Ｂ」の英文字による１２種類の図柄）が変動表示して変動表示ゲームが行われる。その他、表示画面には遊技の進行に基づく画像が表示される。
【００２４】
画像表示装置８の下方には、普通変動入賞装置（普通電動役物）９を有する始動口１６が、遊技領域の左右の所定の位置には、普通図柄始動ゲート１４が配置される。
【００２５】
遊技盤上に設けられる画像表示装置８、始動口１６、変動入賞装置１０は、遊技盤中心線に各々の中心を合わせて、遊技盤の縦方向の中心に配置されている。すなわち、画像表示装置８、始動口１６、変動入賞装置１０は、各々の中心が一致するように配置され、各構成の中心は遊技盤の中心と一致している。そして、画像表示装置８の表示面（遊技領域が設けられた遊技盤面）に直交し、画像表示装置８の中心線を含む面（その位置を図２に点線で示す面Ａ）に対して、画像表示装置８の光源８０１ａ及び光源８０１ｂは対称の位置に設けられ、光源８０１ａから放射される光と光源８０１ｂから放射される光とは、前記画像表示装置８の表示面に直交しかつ画像表示装置８の中心線を含む面に対して対象となる方向に放射される。よって、遊技者が遊技機に正対する位置で遊技をすれば、左右いずれの方向から見てもバランスよく画像を立体視することができる。
【００２６】
本実施の形態の遊技機では、打球発射装置（図示省略）から遊技領域に向けて遊技球（パチンコ球）が打ち出されることによって遊技が行われ、打ち出された遊技球は、遊技領域内の各所に配置された風車等の転動誘導部材１２によって転動方向を変えながら遊技領域を流下し、始動口１６、一般入賞口１５、特別変動入賞装置１０に入賞するか、遊技領域の最下部に設けられたアウト口から排出される。一般入賞口１５への遊技球の入賞は、一般入賞口毎に備えられたＮ個の入賞センサ５１．１〜５１．Ｎ（図２参照）により検出される。
【００２７】
始動口１６、一般入賞口１５、特別変動入賞装置（大入賞口）１０に遊技球が入賞すると、入賞した入賞口の種類に応じた数の賞球が払出ユニット（排出装置）から排出され、供給皿２１に供給される。
【００２８】
始動口１６へ遊技球の入賞があると、画像表示装置８では、前述した数字等で構成される識別情報が順に変動表示する変動表示ゲームが開始し、変動表示ゲームに関する画像が表示される。始動口１６への入賞が所定のタイミングでなされたとき（具体的には、入賞検出時の特別図柄乱数カウンタ値が当たり値であるとき）には大当たり状態となり、三つの表示図柄が揃った状態（大当たり図柄）で停止する。このとき、特別変動入賞装置１０は、大入賞口ソレノイド１０Ａ（図２参照）への通電により、大入賞口が所定の時間（例えば、３０秒）だけ、遊技球を受け入れない閉状態（遊技者に不利な状態）から遊技球を受け入れやすい開状態（遊技者に有利な状態）に変換される。すなわち、大入賞口が所定の時間だけ大きく開くので、この間遊技者は多くの遊技球を獲得することができるという遊技価値が付与される。
【００２９】
始動口１６への遊技球の入賞は、特別図柄始動センサ５２（図２参照）で検出される。この遊技球の通過タイミングによって抽出された特別図柄乱数カウンタ値は、遊技制御装置１００内の所定の記憶領域（特別図柄入賞記憶領域）に、特別図柄入賞記憶として所定回数（例えば、最大で連続した４回分）を限度に記憶される。この特別図柄入賞記憶の記憶数は、画像表示装置８の表示画面の一部に設けられた特別図柄記憶状態表示領域に表示される。遊技制御装置１００は、特別図柄入賞記憶に基づいて、画像表示装置８にて可変表示ゲームを行う。
【００３０】
特別変動入賞装置１０への遊技球の入賞は、カウントセンサ５４、継続センサ５５（図２参照）により検出される。
【００３１】
普通図柄始動ゲート１４への遊技球の通過があると、普通図柄表示器７では、普通図柄（例えば、一桁の数字からなる図柄）の変動表示を始める。普通図柄始動ゲート１４への通過検出が所定のタイミングでなされたとき（具体的には、通過検出時の普通図柄乱数カウンタ値が当たり値であるとき）には、普通図柄に関する当たり状態となり、普通図柄が当たり図柄（当たり番号）で停止する。このとき、始動口１６の手前に設けられた普通変動入賞装置９は、普通電動役物ソレノイド９Ａ（図２参照）への通電により、始動口１６への入口が所定の時間（例えば０．５秒）だけ拡開するように変換され、遊技球の始動口１６への入賞可能性が高められる。
【００３２】
普通図柄始動ゲート１４への遊技球の通過は、普通図柄始動センサ５３（図２参照）で検出される。この遊技球の通過タイミングによって抽出された普通図柄乱数カウンタ値は、遊技制御装置１００内の所定の記憶領域（普通図柄入賞記憶領域）に、普通図柄入賞記憶として所定回数（例えば、最大で連続した４回分）を限度に記憶される。この普通図柄入賞記憶の記憶数は変動入賞装置１０の右側に設けられた所定数のＬＥＤからなる普通図柄記憶状態表示器１９に表示される。遊技制御装置１００は普通図柄入賞記憶に基づいて、普通図柄に関する当たりの抽選を行う。
【００３３】
遊技機の要所には、装飾用ランプ、ＬＥＤ等の装飾発光装置が設けられる。すなわち、遊技盤中央部に設けられたセンターケース１１、遊技盤下部に設けられたアタッカー（変動入賞装置１０の周囲）には、遊技の進行に応じて発光する装飾ランプが設けられている。さらに、遊技盤の左右上部にはサイドケースランプが、遊技盤の左右側部にはサイドランプ３３が設けられている。また、遊技枠には遊技枠装飾ランプが設けられている。これらのランプは遊技の進行に合わせて点灯して、遊技者の遊技に対する興趣が継続するようにしている。また、カバーガラス１８の上部の前面枠３には、点灯により球の排出の異常等の状態を報知する第１報知ランプ３１、第２報知ランプ３２が設けられている。
【００３４】
前面枠３の下部の開閉パネル２０には球を打球発射装置に供給する上皿２１が、固定パネル２２には下皿２３及び打球発射装置の操作部２４等が配置される。また、音出力装置（スピーカ）が設けられる。
【００３５】
カード球貸ユニット２用の操作パネル２６は遊技機１の上皿２１の外面に形成され、カードの残高を表示するカード残高表示部（図示省略）、球貸しを指令する球貸しスイッチ２８、カードの返却を指令するカード返却スイッチ３０等が設けられている。
【００３６】
カード球貸ユニット２には、前面のカード挿入部２５に挿入されたカード（プリペイドカード等）のデータの読込、書込等を行うカードリーダライタと球貸制御装置が内蔵される。
【００３７】
図２は、本発明の実施の形態の遊技機の遊技制御装置１００を中心とする制御系の一部を示すブロック図である。
【００３８】
遊技制御装置１００は、遊技を統括的に制御する主制御装置であり、遊技制御を司るＣＰＵ、遊技制御のための不変の情報を記憶しているＲＯＭ及び遊技制御時にワークエリアとして利用されるＲＡＭを内蔵した遊技用マイクロコンピュータ１１１、入力インターフェース１１２、出力インターフェース１１３、発振器１０４等から構成される。
【００３９】
遊技用マイクロコンピュータ１１１は、入力インターフェース１１２を介しての各種検出装置（一般入賞口センサ５１．１〜５１．Ｎ、特別図柄始動センサ５２、普通図柄始動センサ５３、カウントセンサ５４、継続センサ５５）からの検出信号を受けて、大当たり抽選等、種々の処理を行う。そして、出力インターフェース１１３を介して、各種制御装置（演出制御装置１５０、排出制御装置２００、装飾制御装置２５０、音制御装置３００）、普通図柄表示器７、普通電動役物ソレノイド９Ａ、大入賞口ソレノイド１０Ａ等に指令信号を送信して、遊技を統括的に制御する。
【００４０】
排出制御装置２００は、遊技制御装置１００からの賞球指令信号に基づいて、払出ユニットの動作を制御し賞球を排出させる。また、カード球貸ユニット２からの貸球要求に基づいて、払出ユニットの動作を制御し貸球を排出させる。
【００４１】
装飾制御装置２５０は、遊技制御装置１００からの指令信号に基づいて、装飾用ランプ、ＬＥＤ等の装飾発光装置（センターケース１１内の装飾ランプ、アタッカー内の装飾ランプ、サイドランプ３３、サイドケースランプ、遊技枠装飾ランプ、報知ランプ３１等）を制御する、また、普通図柄入賞記憶表示器１９の表示を制御して、ランプ制御装置として機能する。
【００４２】
音制御装置３００は、スピーカから出力される効果音を制御して、音制御装置として機能する。
【００４３】
なお、遊技制御装置１００から、各種従属制御装置（演出制御装置１５０、排出制御装置２００、装飾制御装置２５０、音制御装置３００）への通信は、遊技制御装置１００から従属制御装置に向かう単方向通信のみが許容されるようになっている。これにより、遊技制御装置１００に従属制御装置側から不正な信号が入力されることを防止することができる。
【００４４】
遊技機の電源装置（図示省略）は、電源回路のほかに、バックアップ電源部と停電監視回路とを備えている。停電監視回路は、電源装置の所定の電圧降下を検出すると、遊技制御装置１００等に対して停電検出信号とリセット信号とを順に出力する。遊技制御装置１００は、停電検出信号を受けると所定の停電処理を行い、リセット信号を受けるとＣＰＵの動作を停止する。バックアップ電源部は、遊技制御装置１００等のＲＡＭにバックアップ電源を供給して、遊技データ（遊技情報、遊技制御情報：変動表示ゲーム情報を含む）等をバックアップする。
【００４５】
演出制御装置１５０は、画像の表示制御を行うもので、遊技制御装置１００及び合成変換装置１７０と共に演出制御手段として機能する。この演出制御装置１５０は、ＣＰＵ１５１、ＶＤＣ（Ｖｉｄｅｏ  Ｄｉｓｐｌａｙ  Ｃｏｎｔｒｏｌｌｅｒ）１５６、ＲＡＭ１５３、インターフェース１５５、プログラム等を格納したＲＯＭ１５２、画像データ（図柄データ、背景画データ、動画キャラクタデータ、テクスチャデータ等）を格納したフォントＲＯＭ１５７、同期信号やストローブ信号を発生させるクロック信号を生成する発振器１５８等から構成される。
【００４６】
ＣＰＵ１５１は、ＲＯＭ１５２に格納したプログラムを実行し、遊技制御装置１００からの信号に基づいて所定の変動表示ゲームのための画像制御情報（スプライトデータやポリゴンデータ等で構成される図柄表示情報、背景画面情報、動画オブジェクト画面情報等）を演算して右眼用画像信号と左眼用画像信号とを交互に生成するようにＶＤＣ１５６に指示する。この右眼用画像信号と左眼用画像信号との生成タイミングに合わせてＬ／Ｒ信号が生成され、生成されている画像信号が右眼用画像信号なのか左眼用画像信号なのかが識別可能なようになっている。
【００４７】
ＶＤＣ１５６は、フォントＲＯＭ１５７に格納された画像データ及びＣＰＵ１５１により画像制御情報を演算した内容に基づいて、例えば、画像のポリゴン描画（または、通常のビットマップ描画）を行うとともに、各ポリゴンに所定のテクスチャを貼り付けてフレームバッファとしてのＲＡＭ１５３に格納する。そして、ＶＤＣ１５６は、ＲＡＭ１５３の画像を所定のタイミング（垂直同期信号Ｖ＿ＳＹＮＣ、水平同期信号Ｈ＿ＳＹＮＣ）でＬＣＤ側（合成変換装置１７０）へ送信する。
【００４８】
ＶＤＣ１５６が行う描画処理は、点描画、線描画、トライアングル描画、ポリゴン描画を行い、さらにテクスチャマッピング、アルファブレンディング、シェーディング処理（グローシェーディングなど）、陰面消去（Ｚバッファ処理など）を行って、γ補正回路１５９を介して画像信号を合成変換装置１７０に出力する。
【００４９】
なお、ＶＤＣ１５６は、描画した画像データをフレームバッファとしてのＲＡＭ１５３へ一旦格納した後、同期信号（Ｖ＿ＳＹＮＣなど）に合わせて合成変換装置１７０へ出力してもよい。
【００５０】
ここで、フレームバッファは、複数のフレームバッファをそれぞれＲＡＭ１５３の所定の記憶領域などに設定しておき、ＶＤＣ１５６は、任意の画像に重ね合わせて（オーバーレイ）出力することも可能である。
【００５１】
ＶＤＣ１５６には、クロック信号を供給する発振器１５８が接続されている。発振器１５８が生成するクロック信号は、ＶＤＣ１５６の動作周期を規定し、ＶＤＣ１５６から出力される信号、例えば、垂直同期信号（Ｖ＿ＳＹＮＣ）と、水平同期信号（Ｈ＿ＳＹＮＣ）を生成し、合成変換装置１７０及び画像表示装置８へ出力される。
【００５２】
また、演出制御装置１５０のＣＰＵ１５１は、発振器１５８のクロック信号に基づいて、合成変換装置１７０へ出力する画像データが、左目用の画像又は右目用の画像の何れであるかを識別するＬ／Ｒ信号を出力する。
【００５３】
さらに、ＣＰＵ１５１は、画像表示装置８のバックライトである発光素子８１０ａ、８１０ｂ（図３参照）の輝度を制御するため、デューティ制御信号ＤＴＹ＿ＣＴＲを発振器１５８のクロック信号に基づいて生成し、画像表示装置８へ出力する。
【００５４】
合成変換装置１７０は、ＣＰＵ１５１から出力されたＬ／Ｒ信号に基づいて、ＶＤＣ１５６から送られてきた画像信号が右眼用画像信号なのか左眼用画像信号なのかを判定する。また、合成変換装置１７０には、右目用フレームバッファ、左目用フレームバッファ及び立体視用フレームバッファが設けられており、判定された右目用画像信号を右目用フレームバッファに書き込み、左目用画像信号を左目用フレームバッファに書き込む。そして、右目用画像と左目用画像とを合成して立体視用画像を生成して、立体視用画像信号を立体視用フレームバッファに書き込んで、立体視用画像データをＲＧＢ信号として画像表示装置８に出力する。
【００５５】
前述したように、この右目用画像と左目用画像とが合成された立体視用画像信号によって、液晶表示器の表示単位の縦方向ライン（走査線）毎に右目用画像と左目用画像とが交互に表示されるように立体視用画像を表示する。
【００５６】
具体的には、立体視用画像情報（表示オブジェクト）の奥行き情報に基づいて、右目用画像と左目用画像とで視差をつけて生成される。ポリゴン描画の場合には、左目用視点と右目用視点とでレンダリングされてそれぞれ右目用画像と左目用画像とが生成される。スプライトデータを用いる場合には、視差分だけ左右方向にずらして描画される。
【００５７】
このように、左目用画像と右目用画像とが交互に生成されて、左目用画像は左目用フレームバッファに、右目用画像は右目用フレームバッファに格納される。すなわち、Ｌ信号出力中にＶＤＣ１５６から送信されてきた左目用画像データを左目用フレームバッファに書き込み、Ｒ信号出力中にＶＤＣ１５６から送信されてきた右目用画像データを右目用フレームバッファに書き込む。そして、左目用フレームバッファに書き込まれた左目用画像データと、走査線一本毎に右目用フレームバッファに書き込まれた右目用画像データとを読み出して、立体視用フレームバッファに書き込む。
【００５８】
ＣＰＵ１５１、ＶＤＰ１５６及び合成変換装置１７０が以上説明したように機能することによって、左目用画像と右目用画像とが生成され、その表示位置によって両眼視差が生じ、画像を三次元立体像として認識させるように表示制御することで表示位置制御手段が構成される。
【００５９】
画像表示装置８内には液晶ドライバ（ＬＣＤ  ＤＲＶ）１８１、バックライトドライバ（ＢＬ  ＤＲＶ）１８２が設けられている。液晶ドライバ１８１は、合成変換装置１７０から送られてきたＶ＿ＳＹＮＣ信号、Ｈ＿ＳＹＮＣ信号及びＲＧＢ信号に基づいて、液晶表示パネル８０４の電極に順次電圧をかけて、画像表示装置８に立体視用の合成画像を表示する。
【００６０】
バックライトドライバ１８２は、ＶＤＣ１５６から出力されたＤＴＹ＿ＣＴＲ信号に基づいてバックライト（図３の発光素子８１０ａ、８１０ｂ）に加わる電圧のデューティー比を変化させて、画像表示装置８の明るさを変化させる。
【００６１】
すなわち、遊技制御装置１００は、遊技領域に打ち出された遊技球が始動口１６に入賞すると、所定の乱数（特別図柄乱数、大当たり乱数）を抽出し、記憶する。そして、遊技制御装置１００では、演出制御装置１５０に変動表示を指令する表示制御指令信号を編集して、該編集した表示制御指令信号を送信する。演出制御装置１５０のＣＰＵ１５１は、表示制御指令信号を受信すると、フォントＲＯＭ１５７（記憶手段）から該表示制御指令信号に対応する表示画像データを読み出して、ＶＤＣ１５６、合成変換装置１７０と協働して、画像表示装置８に表示する表示データを生成する。このように、遊技制御装置１００が機能することによって抽選手段及び遊技制御手段が構成される。また、演出制御装置１５０及び合成変換装置１７０が機能することによって演算手段が構成される。
【００６２】
遊技制御装置１００からの演出制御指令信号を受信するインターフェース１５５の手前には、信号伝達方向規制手段であるバッファ回路１６０が設けられ、遊技制御装置１００から演出制御装置１５０への信号入力のみが許容され、演出制御装置１５０から遊技制御装置１００への信号出力を禁止している。なお、遊技制御装置１００と演出制御装置１５０との間で双方向通信を行う場合には、バッファ回路１６０に双方向バッファを用いることもできる。
【００６３】
以上説明した実施の形態では、装飾制御装置２５０及び音制御装置３００と演出制御装置１５０とを別個に設けたが、従属制御装置のうち、装飾制御装置２５０及び音制御装置３００を演出制御装置１５０に含めて、装飾制御装置２５０、及び音制御装置３００を演出制御装置１５０と一体に構成してもよい。
【００６４】
図３は、本発明の第１の実施の形態の画像表示装置の構成を示す説明図である。
【００６５】
光源８０１ａは、発光素子８１０ａ及び偏光フィルタ８１１ａによって構成され、光源８０１ｂは、発光素子８１０ｂ及び偏光フィルタ８１１ｂによって構成されている。そして、光源８０１ａ及び光源８０１ｂは、液晶表示パネル８０４の略中央部から左右対称の位置に設けられている。発光素子８１０ａ、８１０ｂは、各々、赤、緑、青（光の三原色）の発光素子を横方向に並べて配置して構成される。偏光フィルタ８１１ａと、偏光フィルタ８１１ｂとは、透過する光の偏光が互いに異なる（例えば、偏光フィルタ８１１ａと偏光フィルタ８１１ｂとで透過する光の偏光を９０度ずらす）ように、その偏光特性が設定されている。フレネルレンズ８１２は一側面に同心円上の凹凸を有するレンズ面を有している。そして、後述するように、偏光フィルタ８１１ａを通過した光は観察者の左目に到達し、偏光フィルタ８１１ｂを通過した光は観察者の右目に到達するようになっている。
【００６６】
光源８０１ａと光源８０１ｂとが放射する異なった偏光の光はフレネルレンズ８１２に照射される。フレネルレンズ８１２は凸レンズであり、フレネルレンズ８１２では発光素子８１０から拡散するように放射された光の光路を略平行に屈折して微細位相差板８０２を透過して、液晶表示パネル８０４に照射される。また、フレネルレンズ８１２には、その周囲に光を透過しない（例えば黒色の）枠部８１２ａが設けられている。
【００６７】
このとき、微細位相差板８０２から照射される光は、左右方向に広がることがないように出射され、液晶表示パネル８０４に照射される。すなわち、微細位相差板８０２のある領域を透過した光が、液晶表示パネル８０４の特定の表示単位の部分を透過するようになっている。
【００６８】
また、液晶表示パネル８０４に照射される光のうち、偏光フィルタ８１１ａを通過した光と偏光フィルタ８１１ｂを通過した光とは、異なる角度でフレネルレンズ８１２に入射し、フレネルレンズ８１２で屈折して左右異なる経路で液晶表示パネル８０４から放射される。
【００６９】
液晶表示パネル８０４は、２枚の透明板（例えば、ガラス板）の間に所定の角度（例えば、９０度）ねじれて配向された液晶が配置されており、例えば、ＴＦＴ型の液晶表示パネルを構成している。液晶表示パネルに入射した光は、液晶に電圧が加わっていない状態では、入射光の偏光が９０度ずらして出射される。一方、液晶に電圧が加わっている状態では、液晶のねじれが解けるので、入射光はそのままの偏光で出射される。なお、本発明の実施の形態の液晶表示パネル８０４は、光源８０１ａ、８０１ｂで発光色を変えるので、液晶表示パネル８０４の表示素子に対応してカラーフィルタを設ける必要がない。
【００７０】
液晶表示パネル８０４の光源８０１側には、微細位相差板８０２及び偏光板８０３（第１偏光板）が配置されており、観察者側には偏光板８０５（第２偏光板）が配置されている。
【００７１】
微細位相差板８０２は、透過する光の位相を変える領域が、微細な間隔で繰り返して配置されている。具体的には、光透過性の基材８２２に、微細な幅の１／２波長板８２１が設けられた領域８０２ａと、１／２波長板８２１が設けられていない領域８０２ｂとが同一の微細な間隔で交互に繰り返し設けられている。すなわち、設けられた１／２波長板８２１によって透過する光の位相を変える領域８０２ａと、１／２波長板８２１が設けられていないために透過する光の位相を変えない領域８０２ｂとが微細な間隔で繰り返して設けられている。この１／２波長板８２１は、透過する光の位相を変化させる位相差板として機能している。
【００７２】
１／２波長板８２１は、その光学軸を偏光フィルタ８１１ａを透過する光の偏光軸と４５度傾けて配置して偏光フィルタ８１１ａを透過した光の偏光軸を９０度回転させて出射する。すなわち、偏光フィルタ８１１ａを透過した光の偏光軸を９０度回転させて、偏光フィルタ８１１ｂを透過する光の偏光と等しくする。すなわち、１／２波長板８２１が設けられていない領域８０２ｂは偏光フィルタ８１１ｂを通過した、偏光板８０３と同一の偏光を有する光を透過し、１／２波長板８２１が設けられた領域２ａは、偏光フィルタ８１１ａを通過した、偏光板８０３と偏光軸が直交した光を、偏光板８０３の偏光軸と等しくなるように回転させて出射する。
【００７３】
この微細位相差板８０２の偏光特性の繰り返しは、液晶表示パネル８０４の表示単位と略同一のピッチとして、表示単位毎（すなわち、表示単位の縦方向のライン毎）に透過する光の偏光が異なるようにする。よって、液晶表示パネル８０４の表示単位の垂直ライン（走査線）毎に対応する微細位相差板８０２の偏光特性が異なるようになって、垂直ライン毎に出射する光の方向が異なる。
【００７４】
又は、微細位相差板８０２の偏光特性の繰り返しは、液晶表示パネル８０４の表示単位のピッチの整数倍のピッチとして、微細位相差板８０２の偏光特性が複数の表示単位毎（すなわち、複数の表示単位の垂直ライン毎）に変わるようにして、複数の表示単位毎に透過する光の偏光が異なるように設定する。よって、液晶表示パネル８０４の表示単位の垂直ライン（走査線）の複数本毎に微細位相差板８０２の偏光特性が異なって、垂直ラインの複数本毎に出射する光の方向が異なる。
【００７５】
このように、微細位相差板８０２の偏光特性の繰り返し毎に異なる光を液晶表示パネル８０４の表示素子（垂直ライン）に照射する必要があるため、微細位相差板８０２を透過して液晶表示パネル８０４に照射される光は、左右方向の拡散を抑制したものである必要がある。
【００７６】
すなわち、微細位相差板８０２の光の位相を変化させる領域８０２ａは、偏光フィルタ８１１ａを透過した光を、偏光フィルタ８１１ｂを透過した光の偏光と等しくして透過する。また、微細位相差板８０２の光の位相を変化させない領域８０２ｂは、偏光フィルタ８１１ｂを透過した光をそのまま透過する。そして微細位相差板８０２を出射した光は、偏光フィルタ８１１ｂを透過した光と同じ偏光を有して、液晶表示パネル８０４の光源側に設けられた偏光板８０３に入射する。
【００７７】
偏光板８０３は微細位相差板８０２を透過した光と同一の偏光の光を透過する偏光特性を有する。すなわち、偏光フィルタ８１１ｂを透過した光は偏光板８０３を透過し、偏光フィルタ８１１ａを透過した光は偏光軸を９０度回転させられて偏光板８０３を透過する。また、偏光板８０５は偏光板８０３と９０度異なる偏光の光を透過する偏光特性を有する。
【００７８】
以上説明した微細位相差板８０２及び偏光板８０３は、貼り合わせて構成されており、特定の偏光の光をそのまま透過する第１領域と、当該特定の偏光の光と直交する偏光の光の偏光軸を９０°回転させて透過する第２領域とが、横方向に繰り返して設けられた縦縞フィルタとして機能する。
【００７９】
このような微細位相差板８０２、偏光板８０３及び偏光板８０５を液晶表示パネル８０４に貼り合わせて、微細位相差板８０２、偏光板８０３、液晶表示パネル８０４及び偏光板８０５を組み合わせて画像表示装置８を構成する。このとき、液晶に電圧が加わった状態では、液晶表示パネル８０４の液晶分子が揃った状態にあるので、微細位相差板８０２を透過した光は偏光板８０５を透過する。一方、液晶に電圧が加わっていない状態では、液晶表示パネル８０４の液晶分子が９０度ねじれて配向しているので、微細位相差板８０２を透過した光は偏光が９０度ねじれて液晶表示パネル８０４から出射されるので、偏光板８０５を透過しない。
【００８０】
なお、偏光板８０５の前面側（観察者側）に、液晶表示パネルを透過した光を上下方向に拡散する拡散手段として機能するディフューザを設けてもよい。このディフューザは、レンチキュラーレンズによって構成されており、横方向に延伸した半円状の凹凸（かまぼこ状の凹凸）が、縦方向に繰り返して表面に設けられており、他方の表面は平面となっている。そして、この凹凸面が観察者側に向き、平面が液晶表示パネル８０４側を向くように偏光板８０５の前面に取り付けられる。よって、液晶表示パネル８０４を透過しディフューザに入射した光は、凹凸によって、光の経路が上下に拡散するように屈折されて観察者側に放射される。
【００８１】
図４は、本発明の第１の実施の形態の画像表示装置の光学系を示す平面図である。
【００８２】
光源８０１ａ（発光素子８１０ａ、偏光フィルタ８１１ａ）、８０１ｂ（発光素子８１０ｂ、偏光フィルタ８１１ｂ）は、筐体８５０内の奥側左右に、両光源の距離を離すように筐体の隅の方に設けられている。筐体８５０内の光源の間には、光源から放射された光の光路と重ならない位置の空間８５１には画像表示装置の表示を制御する表示制御回路が構成された基板８５２が配置されている。この基板が配置される空間は、光源から放射された光の光路と重ならない位置に設けられた壁８５３によって、筐体内の光の光路となる空間と区画されている。
【００８３】
光源８０１ａ、８０１ｂから放射された光は放射状に広がって液晶表示パネル８０４に至る。すなわち、第１光源８０１ａの発光素子８１０ａから放射され偏光フィルタ８１１ａを透過した光（一点鎖線で光路の中心を示す）は、フレネルレンズ８１２に到達し、フレネルレンズ８１２で光の進行方向を変えられて、微細位相差板８０２、偏光板８０３、液晶表示パネル８０４、偏光板８０５を略垂直（やや右側から左側）に透過して左目に至る。
【００８４】
発光素子８１０ａ、８１０ｂは、各々、赤、緑、青（光の三原色）の発光素子を横方向に並べて配置して構成される。各発光素子は、内側から青、緑、赤の順に並べて配置されている。すなわち、フレネルレンズの周辺部から中心方向に放射される三原色の光が共通の位置（Ｌ１、Ｌ２）を通過するように、発光素子が配置されている。フレネルレンズ８１２における屈折角度は青色光の方が大きいので、内側からフレネルレンズ８１２に入射した青色光と、外側からフレネルレンズ８１２に入射した赤色光とは、ほぼ同一の角度でフレネルレンズ８１２の周辺部から出射される。すなわち、画像表示装置８の中心線付近で立体視に適する位置では、左右の光源８１０ａ、７１０ｂから放射されるの三原色の光は、フレネルレンズ８１２を透過して同じ方向に出射されて左右眼に到達する。なお、画像表示装置８の周辺方向に拡散する光は、三原色の光は異なる方向に出射されて色収差が生じる。
【００８５】
一方、第２光源８０１ｂの発光素子８１０ｂから放射され偏光フィルタ８１１ｂを透過した光（破線で光路の中心を示す）は、フレネルレンズ８１２に到達し、フレネルレンズ８１２で光の進行方向を変えられて、微細位相差板８０２、偏光板８０３、液晶表示パネル８０４、偏光板８０５を略垂直（やや左側から右側）に透過して右目に至る。
【００８６】
このように、光源８０１ａ、８０１ｂから放射された異なる偏光の光を、光学手段としてのフレネルレンズ８１２によって、液晶表示パネル８０４に略垂直に照射するようにしている。すなわち、発光素子８１０ａ及び偏光フィルタ８１１ａ、発光素子８１０ｂ及び偏光フィルタ８１１ｂによって、偏光面が異なる光を異なる経路で液晶表示パネル８０４に照射する光源を構成し、液晶表示パネル８０４を透過した光を異なる経路で出射して、右目又は左目に到達させる。すなわち、液晶表示パネル８０４の走査線ピッチと、微細位相差板８０２の偏光特性の繰り返しピッチとを等しくして、液晶表示パネル８０４の走査線ピッチ毎に異なる方向から到来した光が照射され、異なる方向に光を出射する。
【００８７】
図５は、本発明の第１の実施の形態の画像表示装置から放射される光の経路を説明する図であり、図５（ａ）が、偏光フィルタの右側領域１１ａを透過して左目に至る光の経路を、図５（ｂ）が、偏光フィルタの左側領域１１ｂを透過して右目に至る光の経路を示す。
【００８８】
図５（ａ）に示すように、光源８０１ａ（発光素子８１０ａ、偏光板８１１ａ）から放射された光は、フレネルレンズ８１２を透過して、微細位相差板８０２に到達し、偏光を９０度回転させて出射する（偏光フィルタ８１１ａを透過した光を透過する）微細位相差板８０２の領域８０２ａを透過し、さらに、偏光板８０３、液晶表示パネル８０４、偏光板８０５を透過して、左目に至る。すなわち、液晶表示パネル８０４の領域８０２ａに対応する位置の表示素子によって表示された左目画像が左目に到達する。
【００８９】
この微細位相差板８０２の領域８０２ａと交互に並んで配置されている領域８０２ｂは光の偏光を変化させないので、偏光フィルタ８１１ａからの光は偏光板８０３を透過することなく、液晶表示パネル８０４の領域８０２ｂに対応する位置の表示素子に表示された右目画像は左目に到達しない。
【００９０】
一方、図５（ｂ）に示すように、光源８０１ｂ（発光素子８１０ｂ、偏光板８１１ｂ）から放射された光は、フレネルレンズ８１２を透過して、微細位相差板８０２に到達し、偏光フィルタ８１１ｂと同一の偏光の光を透過する微細位相差板８０２の領域８０２ｂを透過して、液晶表示パネル８０４、偏光板８０５を透過して、右目に至る。すなわち、液晶表示パネル８０４の領域８０２ｂに対応する位置の表示素子によって表示された右目画像が右目に到達する。
【００９１】
この微細位相差板８０２の領域８０２ｂと交互に並んで配置されている領域８０２ａは光の偏光を変化させるので、偏光フィルタ８１１ｂからの光は偏光板８０３を透過することなく、液晶表示パネル８０４の領域８０２ａに対応する位置の表示素子に表示された左目画像は右目に到達しない。
【００９２】
図６は、本発明の実施の形態の画像表示装置の微細位相差板２を示す正面図である。
【００９３】
微細位相差板８０２には、光透過性の基板８２２に１／２波長板８２１が設けられており、透過する光の偏光を変える領域が、所定の間隔毎に微細な間隔で繰り返し連続して配置されている。この繰り返し連続して配置される領域に入射する光の偏光は、各々偏光フィルタ８１１ａ、偏光フィルタ８１１ｂで異なり、透過する光の偏光を変える領域では、入射光の偏光軸を９０度回転させて出射する。この微細位相差板８０２の偏光特性の繰り返しは、液晶表示パネル８０４の表示単位と略同ピッチとしてある。
【００９４】
すなわち、偏光フィルタ８１１ａを透過して、微細位相板で偏光軸を９０度回転させられた光と、偏光フィルタ８１１ｂを透過して、微細位相板をそのまま透過した光の偏光軸が等しくなり、これらの光が偏光板８０５を透過する。微細位相差板２の、透過する光の偏光を変える領域と、透過する光の偏光を変えない領域とは、液晶表示パネル４の表示単位の垂直ライン毎に繰り返し連続して配置されているので、微細位相差板２と偏光板８０３とを透過した光は、垂直ライン毎に異なる方向へ向かう同一の偏光の光となる。
【００９５】
なお、前述したように、微細位相差板８０２の偏光特性の繰り返しは、液晶表示パネル８０４の表示単位のピッチの整数倍のピッチとして、微細位相差板８０２の偏光特性が複数の表示単位毎に変わるようにして、複数の表示単位毎に透過する光の偏光が異なるようにしてもよい。
【００９６】
次に、本発明の実施の形態の画像出力制御処理について説明する。
【００９７】
図７は、本発明の実施の形態の画像出力制御処理に用いられるパラメータ（スキャンカウンタ）値と、画像表示制御処理動作を説明する図表であり、図８は、本発明の実施の形態の画像出力制御処理のタイミング図である。
【００９８】
スキャンカウンタ値は、”０”から”７”までの八つの値が準備されており、Ｖ＿ＳＹＮＣのタイミング毎に”０”から”７”まで一つずつ増加するように更新され、”７”の次のＶ＿ＳＹＮＣのタイミングでは、”０”に戻るように制御される。
【００９９】
スキャンカウンタ値が”０”のときには、発光素子８１０ａ、８１０ｂのうち赤色の発光素子が点灯し、光源８０１ａ、８０１ｂ（バックライト）から赤色光が放射される。このタイミングでは表示画像から分離された赤色成分の画像データが画像表示装置８に出力され、赤色成分の画像が液晶表示パネル８０４に表示される。
【０１００】
次のＶ＿ＳＹＮＣのタイミングであるスキャンカウンタ値が”１”のときには、発光素子８１０ａ、８１０ｂのいずれもが消灯し、光源８０１ａ、光源８０１ｂ（バックライト）からは赤色、緑色及び青色のいずれの色の光も放射されない。このタイミングではブランクデータが画像表示装置８に出力され、液晶表示パネル８０４の全ての表示画素はオフ状態（光源からの光を透過しない状態）となり、画像表示装置８の表示画面は黒色になる。
【０１０１】
次のＶ＿ＳＹＮＣのタイミングであるスキャンカウンタ値が”２”のとき、及び、その次のＶ＿ＳＹＮＣのタイミングであるスキャンカウンタ値が”３”のときには、発光素子８１０ａ、８１０ｂのうち緑色の発光素子が点灯し、光源８０１ａ、８０１ｂ（バックライト）から緑色光が放射される。このタイミングでは表示画像から分離された緑色成分の画像データが画像表示装置８に出力され、緑色成分の画像が液晶表示パネル８０４に表示される。
【０１０２】
次のＶ＿ＳＹＮＣのタイミングであるスキャンカウンタ値が”４”のときには、発光素子８１０ａ、８１０ｂのいずれもが消灯し、光源８０１ａ、光源８０１ｂ（バックライト）からは赤色、緑色及び青色のいずれの色の光も放射されない。このタイミングではブランクデータが画像表示装置８に出力され、液晶表示パネル８０４の全ての表示画素はオフ状態（光源からの光を透過しない状態）となり、画像表示装置８の表示画面は黒色になる。
【０１０３】
次のＶ＿ＳＹＮＣのタイミングであるスキャンカウンタ値が”５”のとき、及び、その次のＶ＿ＳＹＮＣのタイミングであるスキャンカウンタ値が”６”のときには、発光素子８１０ａ、８１０ｂのうち青色の発光素子が点灯し、光源８０１ａ、８０１ｂ（バックライト）から青色光が放射される。このタイミングでは表示画像から分離された青色成分の画像データが画像表示装置８に出力され、青色成分の画像が液晶表示パネル８０４に表示される。
【０１０４】
次のＶ＿ＳＹＮＣのタイミングであるスキャンカウンタ値が”７”のときには、発光素子８１０ａ、８１０ｂのいずれもが消灯し、光源８０１ａ、光源８０１ｂ（バックライト）からは赤色、緑色及び青色のいずれの色の光も放射されない。このタイミングではブランクデータが画像表示装置８に出力され、液晶表示パネル８０４の全ての表示画素はオフ状態（光源からの光を透過しない状態）となり、画像表示装置８の表示画面は黒色になる。
【０１０５】
上記タイミングによる画像出力制御処理によると、赤色の発光素子は１サイクル分の時間点灯され、青色の発光素子は２サイクル分の時間点灯され、緑色の発光素子も２サイクル分の時間点灯される。すなわち、赤色の画像表示時間より緑色の画像表示時間及び青色の画像表示時間の方が略２倍の時間に長くなるように制御されており、赤色ＬＥＤ、緑色ＬＥＤ、青色ＬＥＤの輝度の格差を、点灯時間の違いによって平均化している。よって、各色の光度の積算値を等しくすることができ、効率的に表示制御をすることができる。
【０１０６】
図９は、本発明の実施の形態の画像出力制御処理のフローチャートである。
【０１０７】
まず、初期化処理を行って、スキャンカウントを”０”に初期化すると共に、最初に点灯される赤色の発光素子に対応する画像データの赤色成分を準備する（Ｓ１０１）。そして、Ｖ＿ＳＹＮＣのタイミングを待って（Ｓ１０２）、スキャンカウンタ値に対応する色の発光素子を点灯する（Ｓ１０３）。なお、スキャンカウンタ値が”１”、”４”又は”７”のときには、発光素子は消灯するので、光源からは赤色、緑色及び青色のいずれの色の光も放射されない。そして、スキャンカウンタ値に対応する画像データ（すなわち、Ｓ１０３で点灯した発光素子の色に対応する画像データ）を出力する（Ｓ１０４）。なお、スキャンカウンタ値が”１”、”４”又は”７”のときには、発光素子は消灯するので、液晶表示パネル８０４にはブランクデータが表示され、画像表示装置８の表示画面は黒色になる。
【０１０８】
そして、次の表示タイミングにおける変動表示をする図柄の表示位置を演算し、画像データを生成する（Ｓ１０５）。そして、画像データを発光素子の発光色毎に分解して、各色の表示画像を生成する（Ｓ１０６）。
【０１０９】
そして、スキャンカウンタを更新し、ステップＳ１０２に移動し、次のＶ＿ＳＮＣのタイミングを待つ。
【０１１０】
図１０は、本発明の第２の実施の形態の画像表示装置の構成を示す説明図である。
【０１１１】
光源８０１ａは、発光素子８１０ａ、偏光フィルタ８１１ａ及びフレネルレンズ８１２ａによって構成され、光源８０１ｂは、発光素子８１０ｂ、偏光フィルタ８１１ｂ及びフレネルレンズ８１２ｂによって構成されている。そして、光源８０１ａ及び光源８０１ｂは、液晶表示パネル８０４の略中央部から左右対称の位置に設けられている。発光素子８１０ａ、８１０ｂは、光の三原色を発光可能な線状の光源を垂直に配置して構成される。偏光フィルタ８１１ａと、偏光フィルタ８１１ｂとは、透過する光の偏光が互いに異なる（例えば、偏光フィルタ８１１ａと偏光フィルタ８１１ｂとで透過する光の偏光を９０度ずらす）ように、その偏光特性が設定されている。フレネルレンズ８１２ａ、８１２ｂは、一側面に同心円上の凹凸を有するレンズ面を有し、光学手段として機能している。この偏光フィルタ８１１ａとフレネルレンズ８１２ａとは重ね合わせて配置されており、偏光フィルタ８１１ｂとフレネルレンズ８１２ｂとは重ね合わせて配置されている。そして、偏光フィルタ８１１ａ及びフレネルレンズ８１２ａは光源８１０ａの前面に配置されており、偏光フィルタ８１１ｂ及びフレネルレンズ８１２ｂは光源８１０ｂの前面に配置されている。
【０１１２】
発光素子８１０ａから放射された光は、偏光フィルタ８１１ａによって一定の偏光の光のみが透過され、発光素子８１０ｂから放射された光は、偏光フィルタ８１１ｂによって、発光素子８１０ａからとは異なる一定の偏光の光のみが透過される。そして、凸レンズとして機能するフレネルレンズ８１２ａ、８１２ｂによって、発光素子８１０ａ、８１０ｂから拡散するように放射された光の光路を略平行に屈折させられる。すなわち、発光素子８１０ａ、偏光フィルタ８１１ａ及びフレネルレンズ８１２ａによって、特定の偏光の平行光を発生する光源８０１ａが構成される。また、発光素子８１０ｂ、偏光フィルタ８１１ｂ及びフレネルレンズ８１２ｂによって、特定の偏光の平行光を発生する光源８０１ｂが構成される。そして、後述するように、偏光フィルタ８１１ａを通過した光は観察者の左目に到達し、偏光フィルタ８１１ｂを通過した光は観察者の右目に到達するようになっている。
【０１１３】
このとき、微細位相差板８０２に照射される光は略平行光なので、左右方向に広がることなく液晶表示パネル８０４にも照射される。すなわち、微細位相差板８０２のある領域を透過した光が、液晶表示パネル８０４の特定の表示単位の部分を透過する。
【０１１４】
また、液晶表示パネル８０４に照射される光のうち、偏光フィルタ８１１ａを通過した光と偏光フィルタ８１１ｂを通過した光とは、異なる角度で微細位相差板８０２に入射し、液晶表示パネル８０４を透過して、左右異なる方向に異なる経路で液晶表示パネル８０４から放射される。
【０１１５】
液晶表示パネル８０４は、２枚の透明板（例えば、ガラス板）の間に所定の角度（例えば、９０度）ねじれて配向された液晶が配置されており、例えば、ＴＦＴ型の液晶表示パネルを構成している。液晶表示パネルに入射した光は、液晶に電圧が加わっていない状態では、入射光の偏光が９０度ずらして出射される。一方、液晶に電圧が加わっている状態では、液晶のねじれが解けるので、入射光はそのままの偏光で出射される。なお、本発明の実施の形態の液晶表示パネル８０４は、光源８０１ａ、８０１ｂで発光色を変えるので、液晶表示パネル８０４の表示素子に対応してカラーフィルタを設ける必要がない。
そのままの偏光で出射される。
【０１１６】
液晶表示パネル８０４の光源１側には、微細位相差板８０２及び偏光板８０３（第１偏光板）が配置されており、観察者側には、偏光板８０５（第２偏光板）が配置されている。
【０１１７】
微細位相差板８０２は、透過する光の位相を変える領域が、微細な間隔で繰り返して配置されている。具体的には、光透過性の基材８２２に、微細な幅の１／２波長板８２１が設けられた領域８０２ａと、該１／２波長板８２１が設けられていない領域８０２ｂとが微細な間隔で繰り返し設けられている。すなわち、設けられた１／２波長板８２１によって透過する光の位相を変える領域８０２ａと、１／２波長板８２１が設けられていないために透過する光の位相を変えない領域８０２ｂとが微細な間隔で繰り返して設けられている。この１／２波長板８２１は、透過する光の位相を変化させる位相差板として機能している。
【０１１８】
１／２波長板８２１は、その光学軸を偏光フィルタ８１１ａを透過する光の偏光軸と４５度傾けて配置して偏光フィルタ８１１ａを透過した光の偏光軸を９０度回転させて出射する。すなわち、偏光フィルタ８１１ａを透過した光の偏光軸を９０度回転させて、偏光フィルタ８１１ｂを透過する光の偏光と等しくする。すなわち、１／２波長板８２１が設けられていない領域８０２ｂは偏光フィルタ８１１ｂを通過した、偏光板８０３と同一の偏光を有する光を透過し、１／２波長板８２１が設けられた領域２ａは、偏光フィルタ８１１ａを通過した、偏光板８０３と偏光軸が直交した光を、偏光板８０３の偏光軸と等しくなるように回転させて出射する。
【０１１９】
この微細位相差板８０２の偏光特性の繰り返しは、液晶表示パネル８０４の表示単位と略同一のピッチとして、表示単位毎（すなわち、表示単位の縦方向のライン毎）に透過する光の偏光が異なるようにする。よって、液晶表示パネル８０４の表示単位の垂直ライン（走査線）毎に対応する微細位相差板８０２の偏光特性が異なるようになって、垂直ライン毎に出射する光の方向が異なる。
【０１２０】
又は、微細位相差板８０２の偏光特性の繰り返しは、液晶表示パネル８０４の表示単位のピッチの整数倍のピッチとして、微細位相差板８０２の偏光特性が複数の表示単位毎（すなわち、複数の表示単位の垂直ライン毎）に変わるようにして、複数の表示単位毎に透過する光の偏光が異なるように設定する。よって、液晶表示パネル８０４の表示単位の垂直ライン（走査線）の複数本毎に微細位相差板８０２の偏光特性が異なって、垂直ラインの複数本毎に出射する光の方向が異なる。
【０１２１】
このように、微細位相差板の偏光特性の繰り返し毎に異なる光を液晶表示パネル８０４の表示素子（垂直ライン）に照射する必要があるため、微細位相差板８０２を透過して液晶表示パネル８０４に照射される光は、左右方向の拡散を抑制したものである必要がある。
【０１２２】
すなわち、微細位相差板８０２の光の位相を変化させる領域８０２ａは、偏光フィルタ８１１ａを透過した光を、偏光フィルタ８１１ｂを透過した光の偏光と等しくして透過する。また、微細位相差板８０２の光の位相を変化させない領域８０２ｂは、偏光フィルタ８１１ｂを透過した光をそのまま透過する。そして微細位相差板８０２を出射した光は、偏光フィルタ８１１ｂを透過した光と同じ偏光を有して、液晶表示パネル８０４の光源側に設けられた偏光板８０３に入射する。
【０１２３】
偏光板８０３は微細位相差板８０２を透過した光と同一の偏光の光を透過する偏光特性を有する。すなわち、偏光フィルタ８１１ｂを透過した光は偏光板８０３を透過し、偏光フィルタ８１１ａを透過した光は偏光軸を９０度回転させられて偏光板８０３を透過する。また、偏光板８０５は偏光板８０３と９０度異なる偏光の光を透過する偏光特性を有する。
【０１２４】
以上説明した微細位相差板８０２及び偏光板８０３は、貼り合わせて構成されており、特定の偏光の光をそのまま透過する第１領域と、当該特定の偏光の光と直交する偏光の光の偏光軸を９０°回転させて透過する第２領域とが、横方向に繰り返して設けられた縦縞フィルタとして機能する。
【０１２５】
このような微細位相差板８０２、偏光板８０３及び偏光板８０５を液晶表示パネル８０４に貼り合わせて、微細位相差板８０２、偏光板８０３、液晶表示パネル８０４及び偏光板８０５を組み合わせて画像表示装置を構成する。このとき、液晶に電圧が加わった状態では、液晶表示パネル８０４の液晶分子が揃った状態にあるので、微細位相差板８０２を透過した光は偏光板８０５を透過する。一方、液晶に電圧が加わっていない状態では、液晶表示パネル８０４の液晶分子が９０度ねじれて配向しているので、微細位相差板８０２を透過した光は偏光が９０度ねじれて液晶表示パネル８０４から出射されるので、偏光板８０５を透過しない。
【０１２６】
なお、偏光板８０５の前面側（観察者側）に、液晶表示パネルを透過した光を上下方向に拡散する拡散手段として機能するディフューザを設けてもよい。このディフューザは、レンチキュラーレンズによって構成されており、横方向に延伸した半円状の凹凸（かまぼこ状の凹凸）が、縦方向に繰り返して表面に設けられており、他方の表面は平面となっている。そして、この凹凸面が観察者側に向き、平面が液晶表示パネル８０４側を向くように偏光板８０５の前面に取り付けられる。よって、液晶表示パネル８０４を透過しディフューザに入射した光は、凹凸によって、光の経路が上下に拡散するように屈折されて観察者側に放射される。
【０１２７】
図１１は、本発明の第２の実施の形態の画像表示装置の光学系を示す平面図である。
【０１２８】
第１光源８０１ａの発光素子８１０ａから放射された光（一点鎖線で光路の中心を示す）は、放射状に広がって偏光フィルタ８１１ａ、フレネルレンズ８１２ａに到達し、フレネルレンズ８１２ａで平行光に屈折されて、微細位相差板８０２に到達し、偏光を９０度回転させて出射する（偏光フィルタ８１１ａを透過した光を透過する）微細位相差板８０２の領域８０２ａを透過し、さらに、偏光板８０３、液晶表示パネル８０４、偏光板８０５を略垂直（やや右側から左側）に透過して左目に至る。すなわち、液晶表示パネル８０４の領域８０２ａに対応する位置の表示素子によって表示された左目画像が左目に到達する。
【０１２９】
この微細位相差板８０２の領域８０２ａと交互に並んで配置されている領域８０２ｂは、領域８０２ａを透過する光を透過せず、領域８０２ａを透過する光と異なる偏光の光（互いに直交する偏光の光）を透過するので、液晶表示パネル８０４の領域８０２ｂに対応する位置の表示素子に表示された右目画像は左目に到達しない。
【０１３０】
一方、第２光源８０１ｂの発光素子８１０ｂから放射された光（破線で光路の中心を示す）は、放射状に広がって偏光フィルタ８１１ｂ、フレネルレンズ８１２ｂに到達し、フレネルレンズ８１２ｂで平行光に屈折されて、微細位相差板８０２に到達し、偏光フィルタ８１１ｂと同一の偏光の光を透過する微細位相差板８０２の領域８０２ｂを透過して、液晶表示パネル８０４、偏光板８０５を略垂直（やや左側から右側）に透過して右目に至る。すなわち、液晶表示パネル８０４の領域８０２ｂに対応する位置の表示素子によって表示された右目画像が右目に到達する。
【０１３１】
この微細位相差板８０２の領域８０２ｂと交互に並んで配置されている領域８０２ａは光の偏光を変化させるので、偏光フィルタ８１１ｂからの光は偏光板８０３を透過することなく、液晶表示パネル８０４の領域８０２ａに対応する位置の表示素子に表示された左目画像は右目に到達しない。
【０１３２】
このように、発光素子８１０ａ、８１０ｂから放射された異なる偏光の光を、光学手段としてのフレネルレンズ８１２ａ、８１２ｂによって、液晶表示パネル８０４に略垂直に照射するようにしている。すなわち、第１光源８０１ａ（発光素子８１０ａ、偏光フィルタ８１１ａ、フレネルレンズ８１２ａ）、及び、第２光源８０１ｂ（発光素子８１０ｂ、偏光フィルタ８１１ｂ、フレネルレンズ８１２ｂ）によって、偏光面が異なる平行光を異なる経路で液晶表示パネル８０４に照射する光源を構成し、液晶表示パネル８０４を透過した光を異なる経路で出射して、右目又は左目に到達させる。すなわち、液晶表示パネル８０４の走査線ピッチと、微細位相差板８０２の偏光特性の繰り返しピッチとを等しくして、液晶表示パネル８０４の走査線ピッチ毎に異なる方向から到来した光が照射され、異なる方向に光を出射する。
【０１３３】
今回開示した実施の形態は、全ての点で例示であって制限的なものではない。本発明の範囲は上記した発明の説明ではなくて特許請求の範囲によって示され、特許請求の範囲と均等の意味及び内容の範囲での全ての変更が含まれることが意図される。
【図面の簡単な説明】
【図１】本発明の実施の形態の遊技機全体の構成を示す正面図である。
【図２】本発明の実施の形態の遊技機の制御系のブロック図である。
【図３】本発明の第１の実施の形態の画像表示装置の構成図である。
【図４】本発明の第１の実施の形態の画像表示装置の光学系の平面図である。
【図５】本発明の第１の実施の形態の画像表示装置から放射される光の経路の説明図である。
【図６】本発明の実施の形態の画像表示装置の微細位相差板の正面図である。
【図７】本発明の実施の形態の画像出力制御処理に用いられるパラメータを説明する図表である。
【図８】本発明の実施の形態の画像出力制御処理のタイミング図である。
【図９】本発明の実施の形態の画像出力制御処理のフローチャートである。
【図１０】本発明の実施の形態の
【図１１】本発明の実施の形態の
【符号の説明】
１    遊技機
８    画像表示装置
１００    遊技制御装置
１５０    演出制御装置
８０１    光源
８１０    発光素子
８１１    偏光フィルタ
８１２    フレネルレンズ
８０２    微細位相差板
８０３    偏光板（第１偏光板）
８０４    液晶表示パネル
８０５    偏光板（第２偏光板）
【図１】
2004272166.tif 000003
【図２】
2004272166.tif 000004
【図３】
2004272166.tif 000005
【図４】
2004272166.tif 000006
【図５】
2004272166.tif 000007
【図６】
2004272166.tif 000008
【図７】
2004272166.tif 000009
【図８】
2004272166.tif 000010
【図９】
2004272166.tif 000011
【図１０】
2004272166.tif 000012
【図１１】
2004272166.tif 000013
【手続補正書】
【提出日】平成16年2月17日(2004.2.17)
【手続補正１】
【補正対象書類名】明細書
【補正対象項目名】図面の簡単な説明
【補正方法】変更
【補正の内容】
【図面の簡単な説明】
【図１】本発明の実施の形態の遊技機全体の構成を示す正面図である。
【図２】本発明の実施の形態の遊技機の制御系のブロック図である。
【図３】本発明の第１の実施の形態の画像表示装置の構成図である。
【図４】本発明の第１の実施の形態の画像表示装置の光学系の平面図である。
【図５】本発明の第１の実施の形態の画像表示装置から放射される光の経路の説明図である。
【図６】本発明の実施の形態の画像表示装置の微細位相差板の正面図である。
【図７】本発明の実施の形態の画像出力制御処理に用いられるパラメータを説明する図表である。
【図８】本発明の実施の形態の画像出力制御処理のタイミング図である。
【図９】本発明の実施の形態の画像出力制御処理のフローチャートである。
【図１０】本発明の第２の実施の形態の画像表示装置の構成図である。
【図１１】本発明の第２の実施の形態の画像表示装置の光学系の平面図である。